(57)【要約】【課題】飲料自動販売機で、飲料以外のもの例えばタバコを求めたいとの消費者のニーズもあった。一方、販売店サイドでも一台の飲料用自動販売機で、飲料と飲料以外のもの例えばタバコを販売できないかとの課題があった。【解決手段】形が崩れやすい固形商品を振動吸収する部材を介して収容することができる容器とし、かつ容器底部に、着脱可能に取り付けられる灰皿を設けて、これらをほぼ飲料用容器と同じ大きさに形成し、通常の飲料容器と共存して自動販売機に収納できることのできるようにした。【選択図】  図１
2008308189.tif 000002
【特許請求の範囲】
【請求項１】
飲料自動販売機で取り扱い可能な形状を有する、固形収容物収納容器であって、該容器内に収容する固形収容物を衝撃から保護することができる保護部材を該容器内に収納したことを特徴とする容器。
【請求項２】
前記、固形収容物は複数本のタバコを収めたタバコケースであり、前記保持部材は、発泡材で形成して該収容物を衝撃から保護するものであることを特徴とする請求項１に記載の容器。
【請求項３】
前記、固形収容物は複数本のタバコを収めたタバコケースやブローチなどの装飾品であり、前記保持部材は、弾性材で形成して該収容物を衝撃から保護するものであることを特徴とする請求項１に記載の容器。
【請求項４】
飲料自動販売機で取り扱い可能な形状を有する、有底固形収容物収納容器の底部に、着脱可能に取り付けられる灰皿を有することを特徴とする請求項１請求項２請求項３に記載の容器。
【請求項５】
飲料自動販売機で取り扱い可能な形状を有する、円筒状の有底固形収容物収納容器の底部に、着脱可能に取り付けられ、かつ、該有底固形収容物収納容器の開口部に着脱可能に取り付けられる灰皿を有することを特徴とする請求項１請求項２に記載の容器。
【請求項６】
前記灰皿の開口周縁部にはタバコ保持部を形成したことを特徴とする請求項１請求項４請求項５に記載の容器。
【請求項７】
請求項１から請求項６に記載の容器および通常の飲料容器が共存して収納できることを特徴とする飲料自動販売機。
【発明の詳細な説明】
【技術分野】
【０００１】
本発明は、自動販売機で提供される容器、およびこの容器を使用した飲料自動販売機に関するものである。
【背景技術】
【０００２】
従来の飲料用自動販売機では、消費者は所定の金額を自動販売機に投入し、自分の欲する飲料の入った缶容器を買い求めるというのが一般的であった、しかし、飲料以外のもの例えばタバコを求めたいとの消費者のニーズもあった。一方、販売店サイドでも一台の飲料用自動販売機で、飲料と飲料以外のもの例えばタバコを販売したいとのニーズもあった。
【０００３】
【特許文献１】特開２００３-２３３０号公報
【発明の開示】
【発明が解決しようとする課題】
【０００４】
しかし飲料自動販売機で販売する缶容器以外の単なる紙製のケース等を、飲料用自動販売機内で販売しようとすると円滑な取り扱いが難しくなり、自動販売機自体の故障を招く可能性もある。また、通常の缶容器内に壊れやすい飲料以外のもの例えばタバコやブローチなどの装飾品を収容した場合には、自動販売機からの排出時に商品が変形して商品価値を損ねてしまう可能性があり、収容する商品には制限があった、また、上記従来の技術の特開２００３-２３３０号公報にあっては、容器内に壊れやすい飲料以外のものを収容した場合商品の動きを規制する部材は用意されているが、商品の振動を吸収する部材がないので収容する商品を保護するには充分でない。
【０００５】
本発明は、このような実情に鑑みてなされたものであり、形が崩れやすい固形商品を収容することができ、飲料自動販売機での販売が可能な容器でかつ、容器の底部に、着脱可能に取り付けられる灰皿を設け、購買者の利便性を図るような容器と、通常の飲料容器が共存して収納できることのできる自動販売機を提供することを目的とする。
【課題を解決するための手段】
【０００６】
上記目的を達成するために、本発明に係る第１の容器は、飲料自動販売機で取り扱い可能な形状を有する、固形収容物収納容器であって、該容器内に収容する固形収容物を衝撃から保護することができる保護部材を該容器内に収納した（請求項１）。
【０００７】
固形収容物は複数本のタバコを収めたタバコケースであり、前記保持部材は、発泡材で形成して該収容物を衝撃から保護する（請求項２）。
【０００８】
前記、固形収容物は複数本のタバコやブローチなどの装飾品を収めたケースであり、前記保持部材は、弾性材で形成して該収容物を衝撃から保護する（請求項３）。
【０００９】
飲料自動販売機で取り扱い可能な形状を有する、有底固形収容物収納容器の底部に、着脱可能に取り付けられる灰皿を有する（請求項４）。
【００１０】
飲料自動販売機で取り扱い可能な形状を有する、有底固形収容物収納容器の底部に、着脱可能に取り付けられ、かつ、該有底固形収容物収納容器の開口部に着脱可能に取り付けられる灰皿を有する（請求項５）。
【００１１】
前記灰皿の開口周縁部にはタバコ保持部を形成した（請求項６）
【００１２】
固形収容物を収容する容器、および通常の飲料容器が収納できる自動販売機（請求項７）。
【発明の効果】
【００１３】
以上説明したように、本発明によれば飲料自動販売機で形が崩れやすい固形商品を収容することができ、かつ容器の底部に、着脱可能に取り付けられる灰皿を設け、購買者の利便性向上を図るような容器と、通常の飲料容器が共存して収納できる自動販売機を提供することが出来る。
【発明を実施するための最良の形態】
【００１４】
以下、添付図により本発明の一実施形態について説明する。図１は本発明の一実施形態による容器９の中に、固形収容物の一例であるタバコケースを収めた断面図であり、この容器９はそれぞれ、アルミニュームの薄板版を絞り加工で形成したケース３と、上蓋１と、灰皿4から構成される。ケース３は有底円筒状になっており、その開口部上端は内側に折り曲げられフランジ部を形成していて、下端部はやや径の小さい嵌合部を形成している。１の上蓋は、ケース3のフランジ部に着脱自在に遊嵌していてこのケース3の機密を保持している、端部をＵ字状に切り欠きを付けてタバコ保持部6を形成した4の灰皿は、ケース3の嵌合部に着脱自在に遊嵌している、２はケース３内に収納された複数本のタバコを収めたタバコケースであり、本例では2箱のタバコケースを図示しているが、1個でも良い、該タバコケース２は、その周囲を発泡材の難燃性ポリウレタンフォームで作られた保持部材５で囲繞されている。
図３は上記発泡材の保持部材に替えて弾性材の0.1ｍｍ程度のばね鋼板で保持版7を形成してケース３内に収納されたブローチなどの装飾品を収めたケースや複数本のタバコを収めたタバコケース2箱の周囲を囲繞している。
【００１５】
図５は上記で説明した容器9を飲料自動販売機内に多数セットした状態を示した要部断面図であり、自動販売機本体11は中扉17と、多数の容器9をセット出来る収納ラック10、容器9の排出を制御するプランジャー12、シュータの傾斜坂道13、などより構成されている、また、この自動販売機本体11に枢支された外扉１８は、商品取り出し口15、取り出し扉16、商品保留棚１４などより構成されている。
【００１６】
次に、本実施形態による容器の使用方法を説明すると、消費者が自動販売機の貨幣投入口に硬貨または紙幣を投入し、希望商品の選択ボタン（図示せず）を押圧すると、プランジャー12、が働き収納ラック10、の容器9が1個選択され、この収納ラック10より離脱してシュータの傾斜坂道13を通過して商品保留棚１４内に排出される、取り出し扉16、を開けて（図4鎖線で示す）商品取り出し口15より、容器9を取り出すことが出来る。
【００１７】
次に、容器9の上蓋1をケース3より外してタバコケース2をとりだして封を開いて中のタバコ８にライター等で点火し喫煙できる。
【００１８】
次に図5により灰皿４の使用方法を説明すると、灰皿４をケース3の嵌合部から外してケース3の開口部を封止するようにフランジ部の内面に嵌合する、喫煙で生じた灰は灰皿４の底部に集積させる事ができる、また点火中のタバコ８はタバコ保持部6に一時的に保持できるので安全を保てる。特に車中の喫煙時には車中に備え付けの飲料缶ラック上に、この容器９が載置できるので便利である。
【図面の簡単な説明】
【００１９】
【図１】は本発明の一実施形態による容器の断面図である。
【図２】は図1の横断面図である。
【図３】は第2の実施形態による容器横断面図である。
【図４】は一実施形態による容器の実使用状態を示す断面図である。
【図５】は本発明の一実施形態による容器のセット状態を示す自動販売機の要部断面図である。
【符号の説明】
【００２０】
１…上蓋
２…タバコケース
３…ケース
４…灰皿
５…保持部材
６…タバコ保持部
７…保持版
８…（容器用）カバー材
９…容器
１０…収納ラック
１１…自動販売機本体
１２…プランジャー
１５…商品取り出し口
１８…外扉
【図１】
2008308189.tif 000003
【図２】
2008308189.tif 000004
【図３】
2008308189.tif 000005
【図４】
2008308189.tif 000006
【図５】
2008308189.tif 000007